(57)【要約】【課題】モバイルステーションのための無線アクセスシステムを選択する方法を提供すること。【解決手段】モバイルステーションのための無線アクセスシステムを選択する方法は、マルチモードオーバレイ情報の機能としてのマルチモードシステム選択アルゴリズムを使用して、マルチモードモバイルステーションにおいてマルチモードシステム選択を実行することであって、該マルチモードオーバレイ情報は複数の関連性を含み、各関連性は、少なくとも共通の地理的領域において働くそれぞれのシステムのセットの間の関連性であり、該関連性の少なくとも一部は、異なる無線アクセス技術を使用するシステムの間の関連性である、ことを包含する。【選択図】図１
2011199881.tif 000002
【特許請求の範囲】
【請求項１】
マルチモードモバイルステーションによって実行される方法であって、該方法は、
マルチモードオーバレイ情報に基づいて、第１のシステムを選択することであって、該マルチモードオーバレイ情報は、少なくとも共通の地理的領域にサービスを提供する複数のシステムのリストと、少なくとも該第１のシステムに関連付けられた探索時間とを含む、ことと、
該第１のシステムに関連付けられた探索時間の後に、より高い優先順位のシステムを探索することと
を包含し、
該マルチモードオーバレイ情報は、システムについて実行されるべき探索に関するタイミング情報を含み、該タイミング情報は、どのシステムについてタイミング情報が提供されるかを示すものを含む、方法。
【請求項２】
前記マルチモードモバイルステーションにおいて、前記マルチモードオーバレイ情報を格納することをさらに包含する、請求項１に記載の方法。
【請求項３】
前記マルチモードオーバレイ情報は、前記リストの前記複数のシステムのうちの各システムに対する識別パラメータを含む、請求項１または２に記載の方法。
【請求項４】
少なくとも１つの符号分割多重接続「ＣＤＭＡ」システムに対する前記識別パラメータは、
システム識別子「ＳＩＤ」と、ＳＩＤおよびネットワーク識別子「ＮＩＤ」と、モバイルカントリーコード「ＭＣＣ」と、ＭＣＣおよびモバイルネットワークコード「ＭＮＣ」とのうちの少なくとも１つを含み、
少なくとも１つのモバイル通信用グローバルシステム／汎用パケット無線サービス／ユニバーサルモバイル電気通信システム「ＧＳＭ／ＧＰＲＳ／ＵＭＴＳ」システムに対する該識別パラメータは、
ＭＣＣと、ＭＣＣおよびＭＮＣと、ＭＣＣ、ＭＮＣおよびロケーションエリアコード「ＬＡＣ」とのうちの少なくとも１つを含む、請求項３に記載の方法。
【請求項５】
前記マルチモードオーバレイ情報は、複数のグループ関連性を含み、該複数のグループ関連性のうちの少なくとも１つは、前記共通の地理的領域にサービスを提供する複数のシステムのそれぞれの組の間の関連性である、請求項１または２に記載の方法。
【請求項６】
少なくとも１つの無線アクセス技術について無線アクセス技術特有のシステム選択情報を格納することと、
無線アクセス技術特有のシステム選択アルゴリズムを使用してシステム選択を実行することと
をさらに包含する、請求項１〜５のいずれか１項に記載の方法。
【請求項７】
前記少なくとも１つの無線アクセス技術について無線アクセス技術特有のシステム選択情報を格納することと、前記無線アクセス技術特有のシステム選択アルゴリズムを使用してシステム選択を実行することとは、
ＣＤＭＡについては、好ましいローミングリスト「ＣＤＭＡ  ＰＲＬ」を格納し、該ＣＤＭＡ  ＰＲＬを使用してＣＤＭＡシステム選択を実行することと、
ＧＳＭ／ＧＰＲＳ／ＵＭＴＳについては、公衆陸上モバイルネットワーク「ＰＬＭＮ」リストを格納し、該ＰＬＭＮリストを使用してシステム選択を実行することと
を包含する、請求項６に記載の方法。
【請求項８】
前記マルチモードオーバレイ情報に基づいて第１のシステムを選択することは、
最も最近に使用された無線アクセス技術「ＲＡＴ」と、デフォルト無線アクセス技術とのうちの１つを使用して、該第１のシステムの獲得を試みることと、
該第１のシステムを獲得してから、該マルチモードオーバレイ情報からシステム情報を決定することと
を包含する、請求項１に記載の方法。
【請求項９】
より高い優先順位のシステムを探索することは、
より高い優先順位のシステムが存在するかどうかを決定することと、
該より高い優先順位のシステムを獲得することと
を包含する、請求項１に記載の方法。
【請求項１０】
前記マルチモードオーバレイ情報は、システムについて実行されるべき探索に関するタイミング情報を含み、前記システム選択を実行することは、該タイミング情報に従ってシステムの探索を実行することを含む、請求項１〜７のいずれか１項に記載の方法。
【請求項１１】
前記タイミング情報は、
実際のタイマー値を示す一組のビットと、
所定の値によってオフセットされる実際のタイマー値を示す一組のビットと、
タイマー値のテーブルの中にインデックスする一組のビットと
のうちの少なくとも１つを含む、請求項１０に記載の方法。
【請求項１２】
前記タイミング情報は、前記マルチモードオーバレイ情報において識別された各システムに関するものであり、該タイミング情報は、所与のシステムについて、そのシステムが獲得される間に、
該所与のシステムよりも高い優先順位を有し、かつ該所与のシステムのＲＡＴとは異なるＲＡＴを有するシステムをどのくらいの頻度で探索すべきかと、
該所与のシステムよりも高い優先順位を有し、かつ該所与のシステムの該ＲＡＴとは異なるＲＡＴを有するシステムをどのくらいの頻度で探索すべきかであって、少なくとも一部のシステムについて、複数のタイミング情報が、それぞれのより高い優先順位のシステムについて各々指定されることと
のうちの少なくとも１つを示す、請求項１０または１１に記載の方法。
【請求項１３】
前記タイミング情報は、探索されるべき各システムに関するものであり、該タイミング情報は、前記マルチモードオーバレイ情報に含まれる所与のタイプのシステムについて時間を指定し、該時間は、現在のシステムよりも高い優先順位のシステムとしてこのタイプのシステムを探索するときの、モバイルステーションが使用すべきこのタイプのシステムについての探索の間の時間である、請求項１０に記載の方法。
【請求項１４】
前記タイミング情報は、前記システムの一部ではあるが必ずしもすべてではないシステムに関して提供される、請求項１０〜１３のいずれか１項に記載の方法。
【請求項１５】
前記マルチモードモバイルステーションにおいて、無線で前記マルチモードオーバレイ情報を受信することをさらに包含し、該無線で該マルチモードオーバレイ情報を受信することは、
前記システムが属するグループの関連性を識別するグループ識別子と、
該システムのタイプと少なくとも１つの識別パラメータとを識別するシステムタイプと、
該システムの相対的優先順位を示す優先順位情報と、
探索タイミング情報と
を前記リストの前記複数のシステムのうちの各システムについて受信することを包含する、請求項１〜１４のいずれか１項に記載の方法。
【請求項１６】
前記システムについてのマルチモードオーバレイ情報は、
少なくとも共通の地理的場所における他のシステムとの該システムのグループの関連性を定義するオーバレイグループ情報と、
該システムのタイプと少なくとも１つの識別パラメータとを識別するシステムタイプと、
システムについて実行されるべき探索に関するイントラグループオーバレイ優先順位タイミング情報と
を含む、請求項１〜１５のいずれか１項に記載の方法。
【請求項１７】
前記第１のシステムは、前記より高い優先順位のシステムとは異なるシステムである、請求項１〜１６のいずれか１項に記載の方法。
【請求項１８】
前記マルチモードオーバレイ情報は、単一のシステムとして一緒にグループ化される２つ以上の無線アクセス技術を含む、請求項１〜１７のいずれか１項に記載の方法。
【請求項１９】
前記マルチモードオーバレイ情報は、前記マルチモードモバイルステーションによってサポートされている無線アクセス技術「ＲＡＴ」に少なくとも基づいて前記マルチモードモバイルステーションに対してカスタマイズされる、請求項１〜１８のいずれか１項に記載の方法。
【請求項２０】
装置であって、
請求項１〜１９のいずれか１項に記載の方法を実行するためのマルチモードシステム選択機能手段と、
マルチモードオーバレイ情報を格納するメモリであって、該マルチモードオーバレイ情報は、少なくとも共通の地理的領域にサービスを提供する複数のシステムのリストと、該リストの該複数のシステムのうちの１つ以上のシステムに関連付けられた探索時間とを含む、メモリと、
１つ以上の無線アクセス技術を有するシステムにアクセスするワイヤレスアクセス無線と
を備える、装置。
【請求項２１】
コンピュータ可読媒体であって、コンピューティングデバイスに請求項１〜１９のいずれか１項に記載の方法を実行させるための、該コンピューティングデバイスのプロセッサによって実行可能なプログラム命令を格納する、コンピュータ可読媒体。
【発明の詳細な説明】
【技術分野】
【０００１】
本出願は、一般的に、マルチモードモバイルステーションによる無線アクセスシステムの選択に関する。
【背景技術】
【０００２】
マルチモードモバイルステーションは、異なるタイプの無線アクセス技術（ＲＡＴ）のネットワークにアクセスする性能を有するモバイルステーション（ＭＳ）である。現存のマルチモードモバイルステーションは、モバイル通信用グローバルシステム（Ｇｌｏｂａｌ  Ｓｙｓｔｅｍ  ｆｏｒ  Ｍｏｂｉｌｅ  ｃｏｍｍｕｎｉｃａｔｉｏｎｓ）／汎用パケット無線サービス（Ｇｅｎｅｒａｌ  Ｐａｃｋｅｔ  Ｒａｄｉｏ  Ｓｅｒｖｉｃｅ）（ＧＳＭ／ＧＰＲＳ）および符号分割多元接続（Ｃｏｄｅ  Ｄｉｖｉｓｉｏｎ  Ｍｕｌｔｉｐｌｅ  Ａｃｃｅｓｓ）（ＣＤＭＡ）の性能の組み合わせを有するモバイルステーションと、ＧＳＭ／ＧＰＲＳ／ユニバーサルモバイル電気通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）（ＵＭＴＳ）およびＣＤＭＡの性能の組み合わせを有するモバイルステーションと、ワイヤレス広域ネットワーク（ＷＬＡＮ）の性能を含む組み合わせとを含む。
【０００３】
システム選択アルゴリズムは、ＭＳによってサブスクライブされるサービスに最も適切なネットワークを見出す方法を、ＭＳに提供する。システム選択アルゴリズムは、すべてのＲＡＴにおいて使用される。ネットワークは、ＭＳがＧＳＭ／ＧＰＲＳ、ＵＭＴＳおよびＣＤＭＡなどの適切なシステムを選択することを支援する。たとえば、現存のＣＤＭＡワイヤレスシステムにおいて、ＭＳは、ＰＲＬ（好ましいローミングリスト（Ｐｒｅｆｅｒｒｅｄ  Ｒｏａｍｉｎｇ  Ｌｉｓｔ））と呼ばれるオペレータ供給の（ｏｐｅｒａｔｏｒ−ｓｕｐｐｌｉｅｄ）リストを使用する。ＰＲＬは、どのシステムが使用を許可されるか、プリファランスについてシステムに関連する優先順位、どのシステムが禁止されるか、およびシステムがホームまたはローミングのどちらであると見なされるかを記述する。ＰＲＬは、製造の間にあらかじめ供給され得るか、または無線（ｏｖｅｒ−ｔｈｅ−ａｉｒ）供給プロトコル（たとえばＩＳ−６８３  ＯＴＡＳＰ／ＯＴＡＰＡ）を介してネットワークから動的にダウンロードされ得る。ＰＲＬは、ＭＳまたは取り外し可能ユーザ識別モジュール（Ｒｅｍｏｖａｂｌｅ  Ｕｓｅｒ  Ｉｄｅｎｔｉｔｙ  Ｍｏｄｕｌｅ）（Ｒ−ＵＩＭ）の非揮発性メモリに格納される。現存のＧＳＭ／ＧＰＲＳ／ＵＭＴＳシステムにおいては、ＰＲＬの代わりに、サブスクライバ識別モジュール（ＳＩＭ）または汎用サブスクライバ識別モジュール（ＵＳＩＭ）カードに格納されるＰＬＭＮ（公衆陸上モバイルネットワーク）リストが、ネットワークによって使用されることによって、ＭＳに対するシステムのプリファランスを示す。ＰＬＭＮリストは、ホームＰＬＭＮ、オペレータ制御のＰＬＭＮ、およびユーザ制御のＰＬＭＮを含む。
【０００４】
ＧＰＲＳおよびＵＭＴＳは、ＧＳＭの進化である。ＧＳＭ／ＧＰＲＳおよびＵＭＴＳは、異なる無線アクセス技術を使用するが、一部の実施形態において、ネットワーク獲得に関して単一のカテゴリとして扱われる。なぜなら、これらは同一のコアネットワークを共有するからである。ＣＤＭＡネットワークにおいて、ＳＩＤ（システム識別子）は、関連するＣＤＭＡキャリアまたはオペレータを識別し、一般的に広い地理的領域をカバーする。ネットワーク識別子（Ｎｅｔｗｏｒｋ  Ｉｄｅｎｔｉｆｉｅｒ）（ＮＩＤ）は、ＳＩＤのサブセットであり、１つのＭＳＣによってカバーされる領域などの、より小さな地域をカバーする。ＧＳＭ／ＧＰＲＳ／ＵＭＴＳネットワークにおいて、モバイルカントリーコード（Ｍｏｂｉｌｅ  Ｃｏｕｎｔｒｙ  Ｃｏｄｅ）（ＭＣＣ）およびモバイルネットワークコード（Ｍｏｂｉｌｅ  Ｎｅｔｗｏｒｋ  Ｃｏｄｅ）（ＭＮＣ）は、関連するＰＬＭＮまたはキャリアを識別する。ＰＬＭＮの範囲内で、ロケーションエリアコード（Ｌｏｃａｔｉｏｎ  Ａｒｅａ  Ｃｏｄｅ）（ＬＡＣ）は、所与のＭＳＣ／ＶＬＲ（モバイルサービススイッチングセンター／訪問ロケーションレジスタ）によってカバーされる地域を識別する。
【発明の概要】
【課題を解決するための手段】
【０００５】
（概要）
本出願の１つの広い局面は、システムを選択する方法を提供し得、該方法は、マルチモードモバイルステーションが、マルチモードオーバレイ情報の機能としてのマルチモードシステム選択アルゴリズムを使用して、マルチモードシステム選択を実行することを包含し、該マルチモードオーバレイ情報は複数の関連性を含み、各関連性は、少なくとも共通の地理的領域において働くそれぞれのシステムのセットの間の関連性であり、該関連性の少なくとも一部は、異なる無線アクセス技術を使用するシステムの間の関連性である。
【０００６】
一部の実施形態において、マルチモードオーバレイ情報は、システムについて実行されるべき探索に関するタイミング情報を含み得、システム選択を実行することは、該タイミング情報に従ってシステムについて探索を実行することを含み、該タイミング情報は、該システムの一部ではあるが必ずしもすべてではないシステムに関して提供され、該タイミング情報は、どのシステムについてタイミング情報が提供されるかの指示を含み、該どのシステムについてタイミング情報が提供されるかの指示は、そのシステムについてのタイミング情報の有無を示す、各システムについてのそれぞれのビットを含む。
【０００７】
一部の実施形態において、マルチモードオーバレイ情報は、各関連性のシステムに優先順位をつける、各システムについての優先順位情報を含み、該マルチモードオーバレイ情報の機能としてのマルチモードシステム選択アルゴリズムを使用してマルチモードシステム選択を上記マルチモードモバイルステーションが実行することは、該マルチモードオーバレイ情報の該システムのセットのうちの１つに含まれるシステムを獲得してから、より高い優先順位のシステムがある場合には、特定のシステムよりも高い優先順位を有する、該システムのセットにおける別のシステムに接続することを定期的に試みることを含む。該方法は、獲得されたシステムが、所与のシステムグループのなかで最高の優先順位システムである場合には、アイドルモードにおいて該システムを監視することをさらに含み得る。
【０００８】
一部の実施形態において、上記方法は、上記マルチモードモバイルステーションが、上記マルチモードオーバレイ情報を無線で受信することをさらに含み得る。
【０００９】
一部の実施形態において、上記マルチモードオーバレイ情報を無線で受信することは、以下の表のフォーマットに従い得る。
【００１０】
【数１】
2011199881.tif 000003
一部の実施形態において、上記方法は、上記モバイルステーションが、マルチモード性能情報を送信することをさらに含み得る。
【００１１】
一部の実施形態において、上記マルチモード性能情報を送信することは、各無線アクセス技術がサポートされるかどうかを示す、複数の無線アクセス技術の各々についての少なくとも１つのビットを送信することを含み得る。
【００１２】
一部の実施形態において、上記各無線アクセス技術がサポートされるかどうかを示す、複数の無線アクセス技術の各々についての少なくとも１つのビットを送信することは、ＣＤＭＡ、ＧＳＭ／ＧＰＲＳ／ＵＭＴＳ、およびＷＬＡＮの各々について少なくとも１つのビットを送信することを含み得る。
【００１３】
一部の実施形態において、上記方法は、ＣＤＭＡがサポートされる場合には、ＣＤＭＡ  １ｘおよびＣＤＭＡ  １ｘＥＶＤＯの各々についてのサポートを示す少なくとも１つのビットを個々に同様に送信することと、ＧＳＭ／ＧＰＲＳ／ＵＭＴＳがサポートされる場合には、ＧＳＭ、ＧＰＲＳ、およびＵＭＴＳの各々について少なくとも１つのビットを個々に同様に送信することとを、さらに含み得る。
【００１４】
一部の実施形態において、上記各無線アクセス技術がサポートされるかどうかを示す、複数の無線アクセス技術の各々についての少なくとも１つのビットを送信することは、ＣＤＭＡがサポートされると想定して、ＧＳＭおよびＷＬＡＮの各々について少なくとも１つのビットを送信することを含み得る。
【００１５】
一部の実施形態において、ＯＴＡＳＰ（無線サービスプログラミング）／ＯＴＡＰＡ（無線パラメータ管理）は、マルチモード性能情報をリクエストおよび送信するために使用され得る。
【００１６】
一部の実施形態において、上記各無線アクセス技術がサポートされ得るかどうかを示す、複数の無線アクセス技術の各々についての少なくとも１つのビットを送信することは、以下の表のフォーマットに従って実行される。
【００１７】
【数２】
2011199881.tif 000004
一部の実施形態において、ＣＤＭＡがサポートされる場合には、上記モバイルステーションは、以下の表のフォーマットに従ってマルチモード性能情報を送信し得る。
【００１８】
【数３】
2011199881.tif 000005
一部の実施形態において、ＧＳＭ／ＧＰＲＳ／ＵＭＴＳがサポートされる場合には、上記モバイルステーションは、以下の表のフォーマットに従ってマルチモード性能情報を送信し得る。
【００１９】
【数４】
2011199881.tif 000006
一部の実施形態において、上記マルチモード性能オーバレイ情報は、システムについて実行されるべき探索に関するタイミング情報を含み得る。
【００２０】
本出願の別の広い局面は、方法を提供し得、該方法は、システムがマルチモードオーバレイ情報を準備することであって、該マルチモードオーバレイ情報は複数の関連性を含み、各関連性は少なくとも共通の地理的領域において働くそれぞれのシステムのセットの間の関連性であり、該関連性の少なくとも一部は、異なる無線アクセス技術を使用するシステムの間の関連性である、ことと、該システムが、該マルチモードオーバレイ情報を上記モバイルステーションに送信することとを含む。
【００２１】
一部の実施形態において、上記方法は、上記システムが上記モバイルステーションから上記マルチモード性能情報を受信することをさらに含み得、上記マルチモードオーバレイ情報は、該モバイルステーションによってサポートされる無線アクセス技術のシステムのみを含む各モバイルステーションについての、カスタマイズされたオーバレイ情報を含む。
【００２２】
本出願の別の広い局面は、装置を提供し得、該装置は、マルチモードオーバレイ情報の機能としてマルチモードシステム選択を実行するマルチモードシステム選択機能であって、該マルチモードオーバレイ情報は複数の関連性を含み、各関連性は、少なくとも共通の地理的領域において働くそれぞれのシステムのセットの間の関連性であり、該関連性の少なくとも一部は、異なる無線アクセス技術を使用するシステムの間の関連性である、マルチモードシステム選択機能と、該マルチモードオーバレイ情報を格納するメモリと、１つ以上の無線アクセス技術を有するシステムにアクセスするワイヤレスアクセス無線とを備える。
【００２３】
一部の実施形態において、上記マルチモードシステム選択機能は、所与の無線アクセス技術についてネットワーク選択を実行する少なくとも１つの無線アクセス技術特有のネットワーク選択機能と、複数の異なる無線アクセス技術からのネットワーク選択を実行するマルチモードネットワーク選択機能とを含み得る。
【００２４】
本出願の実施形態に従って、マルチモードオーバレイ情報は、マルチモードモバイルステーションに提供され得る。該マルチモードオーバレイ情報は、重複する地理的領域において利用可能な種々の無線アクセス技術についてのネットワークまたはシステムのリストを提供する。
【００２５】
本発明は、さらに、以下の手段を提供する。
【００２６】
（項目１）
モバイルステーションのための無線アクセスシステムを選択する方法であって、該方法は、
マルチモードオーバレイ情報の機能としてのマルチモードシステム選択アルゴリズムを使用して、マルチモードモバイルステーションにおいてマルチモードシステム選択を実行することであって、該マルチモードオーバレイ情報は複数の関連性を含み、各関連性は、少なくとも共通の地理的領域において働くそれぞれのシステムのセットの間の関連性であり、該関連性の少なくとも一部は、異なる無線アクセス技術を使用するシステムの間の関連性である、こと
を包含する、方法。
【００２７】
（項目２）
上記マルチモードモバイルステーションにおいて、上記マルチモードオーバレイ情報を格納することをさらに包含する、項目１に記載の方法。
【００２８】
（項目３）
上記マルチモードオーバレイ情報は、各関連性について、上記それぞれのシステムのセットに対する識別パラメータを含む、項目１または２に記載の方法。
【００２９】
（項目４）
少なくとも１つの符号分割多元接続「ＣＤＭＡ」システムに対する上記識別パラメータは、
システム識別子「ＳＩＤ」と、ＳＩＤおよびネットワーク識別子「ＮＩＤ」と、モバイルカントリーコード「ＭＣＣ」と、ＭＣＣおよびモバイルネットワークコード「ＭＮＣ」とのうちの、少なくとも１つを含み、
少なくとも１つのモバイル通信用グローバルシステム／汎用パケット無線サービス／ユニバーサルモバイル電気通信システム「ＧＳＭ／ＧＰＲＳ／ＵＭＴＳ」システムは、
ＭＣＣと、ＭＣＣおよびＭＮＣと、ＭＣＣ、ＭＮＣおよびロケーションエリアコード「ＬＡＣ」とのうちの少なくとも１つを含む、項目３に記載の方法。
【００３０】
（項目５）
上記マルチモードオーバレイ情報は、各システムについてそれぞれのオーバレイグループ番号を含み、同一のオーバレイグループ番号を有するシステムは、上記関連性のうちの１つの上記それぞれのシステムのセットを含む、項目１〜４のいずれか１項に記載の方法。
【００３１】
（項目６）
少なくとも１つの無線アクセス技術について無線アクセス技術特有のシステム選択情報を格納することと、
無線アクセス技術特有のシステム選択アルゴリズムを使用してシステム選択を実行することと
をさらに包含する、項目１〜５のいずれか１項に記載の方法。
【００３２】
（項目７）
上記少なくとも１つの無線アクセス技術について無線アクセス技術特有のシステム選択情報を格納することと、上記無線アクセス技術特有のシステム選択アルゴリズムを使用してシステム選択を実行することとは、
ＣＤＭＡについては、好ましいローミングリスト「ＣＤＭＡ  ＰＲＬ」を格納し、該ＣＤＭＡ  ＰＲＬを使用してＣＤＭＡシステム選択を実行することと、
ＧＳＭ／ＧＰＲＳ／ＵＭＴＳについては、公衆陸上モバイルネットワーク「ＰＬＭＮ」リストを格納し、該ＰＬＭＮリストを使用してシステム選択を実行することと
を包含する、項目６に記載の方法。
【００３３】
（項目８）
上記マルチモードオーバレイ情報は、各関連性のシステムに優先順位をつける、各システムについての優先順位情報を含む、項目１〜７のいずれか１項に記載の方法。
【００３４】
（項目９）
上記マルチモードオーバレイ情報の機能としてのマルチモードシステム選択アルゴリズムを使用して、マルチモードシステム選択を実行する、上記マルチモードモバイルステーションは、
最も最近に使用された無線アクセス技術「ＲＡＴ」と、デフォルト無線アクセス技術とのうちの１つを使用して、システムの獲得を試みることと、
特定のシステムを獲得してから、該マルチモードオーバレイ情報からシステム情報を決定することと、
上記システムのセットにおいて異なるＲＡＴを使用し、かつ該特定のシステムよりも高い優先順位を有する、別のシステムがあるかどうかを決定することと、
より高い優先順位のシステムがある場合には、該より高い優先順位のシステムを獲得することと
を包含する、項目８に記載の方法。
【００３５】
（項目１０）
上記マルチモードオーバレイ情報の機能としてのマルチモードシステム選択アルゴリズムを使用して、マルチモードシステム選択を実行する、上記マルチモードモバイルステーションは、
該マルチモードオーバレイ情報の上記システムのセットのうちの１つに含まれるシステムを獲得してから、より高い優先順位のシステムがある場合には、上記特定のシステムよりも高い優先順位を有する、該システムのセットにおける別のシステムに接続することを定期的に試みること
を包含する、項目８または９に記載の方法。
【００３６】
（項目１１）
上記マルチモードオーバレイ情報は、より高い優先順位のシステムをどのくらいの頻度で探索するかを定義する、各システムについてのより高い優先順位システムの探索時間を含む、項目８〜１０のいずれか１項に記載の方法。
【００３７】
（項目１２）
上記マルチモードオーバレイ情報は、システムについて実行されるべき探索に関するタイミング情報を含み、上記システム選択を実行することは、該タイミング情報に従ってシステムの探索を実行することを含む、項目１〜７のいずれか１項に記載の方法。
【００３８】
（項目１３）
上記タイミング情報は、
実際のタイマー値を示すビットのセットと、
所定の値によってオフセットされる実際のタイマー値を示すビットのセットと、
タイマー値のテーブルの中にインデックスするビットのセットと
のうちの少なくとも１つを含む、項目１２に記載の方法。
【００３９】
（項目１４）
上記タイミング情報は、上記マルチモードオーバレイ情報において識別された各システムに関するものであり、該タイミング情報は、所与のシステムについて、そのシステムが獲得される間に、
該所与のシステムよりも高い優先順位を有し、かつ該所与のシステムの上記ＲＡＴとは異なるＲＡＴを有するシステムを、どのくらいの頻度で探索すべきかと、
該所与のシステムよりも高い優先順位を有し、かつ該所与のシステムの該ＲＡＴとは異なるＲＡＴを有するシステムを、どのくらいの頻度で探索すべきかであって、少なくとも一部のシステムについて、複数のタイミング情報が、それぞれのより高い優先順位のシステムについて各々指定されることと
のうちの少なくとも１つを示す、項目１２または１３に記載の方法。
【００４０】
（項目１５）
上記タイミング情報は、探索されるべき各システムに関するものであり、該タイミング情報は、上記マルチモードオーバレイ情報に含まれる所与のタイプのシステムについて時間を指定し、該時間は、現在のシステムよりも高い優先順位のシステムとしてこのタイプのシステムを探索するときの、モバイルステーションが使用すべきこのタイプのシステムについての探索の間の時間である、項目１２に記載の方法。
【００４１】
（項目１６）
上記タイミング情報は、上記システムの一部ではあるが必ずしもすべてではないシステムに関して提供され、該タイミング情報は、どのシステムについてタイミング情報が提供されるかの指示を含む、項目１２〜１５のいずれか１項に記載の方法。
【００４２】
（項目１７）
上記マルチモードモバイルステーションにおいて、無線で上記マルチモードオーバレイ情報を受信することをさらに包含し、該無線で該マルチモードオーバレイ情報を受信することは、
上記システムが属する上記関連性を識別するグループ識別子と、
該システムのタイプと、少なくとも１つの識別パラメータとを識別する、システムタイプと、
該システムの相対的優先順位を示す優先順位情報と、
探索タイミング情報と
を各システムについて受信することを包含する、項目１〜１６のいずれか１項に記載の方法。
【００４３】
（項目１８）
上記システムについてのマルチモードオーバレイ情報は、
少なくとも１つの共通の地理的場所における他のシステムとの該システムの関連性を定義するオーバレイグループ情報と、
該システムのタイプと、少なくとも１つの識別パラメータとを識別する、システムタイプと、
システムについて実行されるべき探索に関するイントラグループオーバレイ優先順位タイミング情報と
を含む、項目１〜１７のいずれか１項に記載の方法。
【００４４】
（項目１９）
装置であって、
項目１〜１８のいずれか１項に記載の方法を実行するためのマルチモードシステム選択機能手段と、
マルチモードオーバレイ情報を格納するメモリと、
１つ以上の無線アクセス技術を有するシステムにアクセスするワイヤレスアクセス無線と
を備える、装置。
【００４５】
（項目２０）
コンピュータ可読媒体であって、コンピューティングデバイスに項目１〜１８のいずれか１項に記載の方法を実行させるための、該コンピューティングデバイスのプロセッサによって実行可能なプログラム命令を格納する、コンピュータ可読媒体。
【００４６】
（摘要）
マルチモードオーバレイ情報の機能としてのマルチモードシステム選択アルゴリズムを使用して、マルチモードモバイルステーションがマルチモードシステム選択を実行するための方法が提供される。マルチモードオーバレイ情報は複数の関連性を含み、各関連性は、少なくとも共通の地理的領域において働くそれぞれのシステムのセットの間の関連性であり、該関連性の少なくとも一部は、異なる無線アクセス技術を使用するシステムの間の関連性である。システムが、複数の関連性を含むマルチモードオーバレイ情報を準備し、該マルチモードオーバレイ情報を該モバイルステーションに送信するための方法もまた提供される。
【図面の簡単な説明】
【００４７】
実施形態は、本明細書中において、添付される図面を参照して記述される。
【図１】図１は、本出願の実施形態に従った、マルチモードモバイルステーションのブロック図である。
【図２】図２は、本出願の実施形態に従った、ＣＤＭＡおよびＧＳＭ／ＧＰＲＳ／ＵＭＴＳモードで動作するマルチモードモバイルステーションのブロック図である。
【図３】図３は、マルチモードオーバレイ情報を含む表の実施例である。
【図４】図４は、図３のマルチモードオーバレイ情報がどのようにダウンロードされ得るかを示す表のセットである。
【図５Ａ】図５Ａは、モバイルステーションが、システムにそのマルチモードの性能は何かということを信号で知らせる、例示的なデータ構造を示す表のセットである。
【図５Ｂ】図５Ｂは、モバイルステーションが、システムにそのマルチモードの性能は何かということを信号で知らせる、例示的なデータ構造を示す表のセットである。
【図６Ａ】図６Ａは、システムを選択する際にモバイルステーションを補助する例示的なデータ構造を示す表のセットである。
【図６Ｂ】図６Ｂは、システムを選択する際にモバイルステーションを補助する例示的なデータ構造を示す表のセットである。
【図７】図７は、システム選択を実行する例示的な方法の詳細な流れ図である。
【図８】図８は、本出願の実施形態に従った、マルチモードモバイルデバイスのブロック図である。
【図９】図９は、本出願の実施形態に従った、マルチモードモバイルワイヤレスデバイスのブロック図である。
【図１０】図１０は、例示的なモバイル通信デバイスのブロック図である。
【図１１】図１１は、マルチモードオーバレイ情報を準備するための、通常の方法の流れ図である。
【発明を実施するための形態】
【００４８】
ここで図１を参照すると、モバイルステーション８の実施例のブロック図が示される。モバイルステーション８は、メモリを有し、該メモリに複数の無線アクセス技術に対する無線アクセス技術に特有のネットワーク選択情報１０〜１２を格納する。さらに、各無線アクセス技術に対して、それぞれの無線アクセス技術に特有のネットワーク選択アルゴリズム１４〜１６が存在する。マルチモードオーバレイ情報１８もまた示され、それはマルチモードモバイルステーション８およびマルチモードシステム選択アルゴリズム１９上のメモリに格納される。勿論、モバイルステーション８は、他の機能性を有するが、図面を簡潔にするために示されてはいない。これは、例えば、アクセス無線と、プロセッサと、メモリと、アンテナとなどを含み得る。無線アクセス技術に特有のネットワーク選択アルゴリズム１４〜１６およびマルチモードネットワーク選択アルゴリズム１９は、例えばソフトウェア、ハードウェアおよびファームウェアの適切な組み合わせのうちの１つを用いてインプリメントされ得る。
【００４９】
動作において、各無線アクセス技術（ＲＡＴ）に対して、その技術に対するネットワーク選択を実行するために、無線アクセス技術に特有のネットワーク選択情報１０〜１２および無線アクセス技術に特有のネットワーク選択アルゴリズム１４〜１６は、連携して従来の様式で作用する。それと同時に、マルチモードネットワーク選択アルゴリズム１９は、マルチモードオーバレイ情報１８に応じて動作して、複数の異なる無線アクセス技術の選択がなされることを必要とするネットワーク選択を実行する。
【００５０】
ここで図２を参照すると、図１のマルチモードモバイルステーションの特定の実施例が示され、図２におけるモバイルステーションは、通常は２５と示され、ＣＤＭＡ無線アクセス技術およびＧＳＭ／ＧＰＲＳ／ＵＭＴＳ無線アクセス技術を用いて動作するように装備される。ＧＳＭ／ＧＰＲＳ／ＵＭＴＳに対して、モバイルステーションは、ＧＳＭ／ＧＰＲＳ／ＵＭＴＳのＰＬＭＮリスト２０を有し、ＣＤＭＡに対して、該モバイルステーションは、ＣＤＭＡ  ＰＲＬ２２を有する。ＧＳＭ／ＧＰＲＳ／ＵＭＴＳネットワーク選択アルゴリズム２４が存在し、これは、ＧＳＭ／ＧＰＲＳ／ＵＭＴＳのＰＬＭＮリスト２０を用いてネットワーク選択を実行するように動作し、かつＣＤＭＡネットワーク選択アルゴリズム２６が存在し、ＣＤＭＡ  ＰＲＬ２２を用いてＣＤＭＡネットワーク選択を実行する。マルチモードオーバレイ情報２８およびマルチモードネットワーク選択アルゴリズム３０もまた示され、これは、ＣＤＭＡとＧＳＭ／ＧＰＲＳ／ＵＭＴＳ無線アクセス技術との間の選択を実行する。
【００５１】
ここで図３を参照すると、表４１にまとめられたマルチモードオーバレイ情報の非常に特定された実施例が示される。この表は、オーバレイグループにまとめられた幾つかのシステムを含み、例示される実施例には４０および４２という２つのオーバレイグループが示される。各オーバレイグループは、それぞれのシステムのセットの間の関連性を表示する。システムのセットの各システムは、１つ以上の異なるＲＡＴタイプを含む。従って、一部のインプリメンテーションにおいて、共通の地理的領域における１つより多いシステムは、同一のＲＡＴタイプを有し得、モバイルステーションが、幾つかのシステムのうちの１つにおいて特定のＲＡＴを選択することを可能にする。
【００５２】
表４１は、「インデックス」４３、「オーバレイグループナンバー」４５、「イントラグループ優先度」４４、「より高い優先度のネットワークの探索時間（実施例１）」４６、および「より高い優先度のネットワークの探索時間（実施例２）」４７というヘディングで識別されるコラムを有する。「システム情報」というヘディングを有する別のコラムは、さらなるヘディング「システムタイプ」４８および「特定情報」４９を含む。「システムタイプ」コラム４８は、列挙された各システムに対するシステムのタイプを識別する。システムのタイプは、例えばＣＤＭＡ、およびＧＳＭ、ＧＰＲＳ、ＵＭＴＳ、およびＷＬＡＮを含み得る。一部の実施形態において、ＧＳＭ／ＧＰＲＳ／ＵＭＴＳは、単一のシステムタイプとして一緒に分類される。さらに一般的には、様々なシステムタイプを識別する任意の適切なメカニズムが用いられ得る。
【００５３】
第１のオーバレイグループ４０は、「オーバレイグループナンバー」コラム４５において「０」によって識別され、３つの異なるシステム、すなわちＣＤＭＡシステムとＧＳＭシステムとＵＭＴＳシステムとを含む。具体的には、「特定情報」コラム４９において識別されるように、これらは、ＳＩＤ／ＮＩＤ（システム識別子／ネットワーク識別子）（６、１）を有するＣＤＭＡと、ＭＣＣ／ＭＮＣ／ＬＡＣ（モバイル国コード／モバイルネットワークコード／位置領域コード）３５０／２２／２を有するＧＳＭシステムと、ＭＣＣ／ＭＮＣ／ＬＡＣ３５０／２２／３を有するＵＭＴＳシステムとである。第２のオーバレイグループ４２は、「オーバレイグループナンバー」コラム４５において「１」によって識別され、３つのシステムを含み、これらのシステムは、ＣＤＭＡシステムと、ＧＳＭシステムと、ワイヤレスＬＡＮとから成る。具体的には、「特定情報」コラム４９において識別されるように、これらは、ＳＩＤ／ＮＩＤ（６、２）を有するＣＤＭＡシステムと、ＭＣＣ／ＭＮＣ／ＬＡＣ３５０／２２／３を有するＧＳＭシステムと、ＳＳＩＤ（サービスセット識別子）を有するＷＬＡＮシステムとである。それぞれのシステムに対して、識別パラメータのそれぞれのセットが存在する。例示される特定の実施例において、各ＣＤＭＡシステムに対して、識別パラメータは、ＳＩＤおよびＮＩＤを含む。一部の実施形態において、ＣＤＭＡシステムに対する追加の識別パラメータは、ＭＣＣおよびＭＮＣを含む。例示された実施例における各ＧＳＭ／ＧＰＲＳ／ＵＭＴＳシステムに対して、識別パラメータは、ＭＣＣと、ＭＮＣとＬＡＣとを含む。一部の実施形態において、ＧＳＭ／ＧＰＲＳ／ＵＭＴＳシステムに対する識別パラメータは、ＭＣＣのみ、またはＭＣＣおよびＭＮＣを含む。最後に、ワイヤレスＬＡＮに対して、識別パラメータは、ＳＳＩＤから成る。一部の実施形態において、マルチモードオーバレイ情報は、図３のコラム４４に示されるように、イントラオーバレイグループ優先度情報を含む。オーバレイグループ内のシステムの相対的な優先度を示すために、任意の適切なメカニズムが用いられ得る。例示される実施例において、２つの異なる優先度のみが列挙されており、これらの優先度は、表中で連続して順序立てられた記録に関連する。さらに具体的には、所定のシステムに対する「モア（ｍｏｒｅ）」という表示は、システムが、表中において前出のシステムよりもより高い優先度を有することを意味し、一方で、「同一（ｓａｍｅ）」という表示は、表中において前出のシステムと同一の優先度を有することを意味する。
【００５４】
例示された実施例のオーバレイグループ４０において、最も高い優先度（ＣＤＭＡ）を有するシステムは、イントラグループオーバレイ優先度識別の「モア」を有し、他の２つのシステム（ＧＳＭ、ＵＭＴＳ）は、イントラグループオーバレイ優先度識別の「同一」を有し、それは該２つのシステムが同様の下位の優先度を有するからである。例示された実施例のオーバレイグループ４２において、最も高い優先度（ＣＤＭＡ）を有するシステムは、イントラグループオーバレイ優先度識別の「モア」を有する。最も高い優先度のシステム（ＣＤＭＡ）よりも低い優先度を有するが、最も低い優先度を有するシステム（ＷＬＡＮ）よりも高い優先度のシステム（ＧＳＭ）もまた、イントラグループオーバレイ優先度識別の「モア」を有する。最も低い優先度（ＷＬＡＮ）を有するシステムは、イントラグループオーバレイ優先度識別の「同一」を有する。
【００５５】
一部の実施形態において、マルチモードオーバレイ情報は、様々なシステムタイプに対して実施されるべき探索のタイミングを特定するタイミング情報を含む。このタイミング情報は、様々な形態で到達し得る。一部の実施形態において、タイミング情報は、実際のタイマー値を例えば「分」で示す一連のビットである。一部の実施形態において、タイミング情報は、所定の値によってオフセットされた実際のタイマー値、例えば分を示す一連のビットである。例えば、タイマーが、２より小さな値を有する場合には、タイマー値は、２によってオフセットされ得（すなわち、タイミング情報は、用いられるべきタイマー値から２を引いたものと等しい）、その結果としてより少ないビットがタイミング情報を伝達するために用いられる。一部の実施形態において、タイミング情報は、一連のタイマー値を含むモバイルステーション上に先立って格納された表にインデックスを作る、一連のビットである。
【００５６】
一部の実施形態において、タイマー情報は、マルチモードオーバレイ情報において識別された各システムに関連する。一部の実施形態において、タイマー情報は、所定のシステムに対して、どの程度の頻度で所定のシステムよりもより高い優先度を有するシステムに対して探索を行うか、および所定のシステムのＲＡＴとは異なるＲＡＴを用いて探索を行うかということが示され、それと同時にそのシステムが入手される。このアプローチの実施例は、図３の「より高い優先度のネットワークの探索時間（実施例１）」と題したコラム４６に示される。コラム４６は、表に列挙された各システムに対して、どの程度の頻度でより高い優先度のシステムを探すかを示すパラメータを含む。例えば、所定のモバイルステーションが、ＭＣＣ＝３５０、ＭＮＣ＝２２およびＬＡＣ＝３で識別されるＵＭＴＳシステムを獲得する一方で、モバイルステーションが、異なるＲＡＴタイプのより高い優先度のシステムを５分ごとに探すことを、表に特有のパラメータは規定する。この場合において、モバイルステーションは、ＣＤＭＡシステムを探索する。同様に、所定のモバイルステーションが、ＭＣＣ＝３５０、ＭＮＣ＝２２およびＬＡＣ＝２によって識別されるＧＳＭシステムを獲得すると、モバイルステーションは、より高い優先度のシステム（例示された実施例においてはＣＤＭＡシステム）を１０分ごとに探す。このアプローチは、同一のＲＡＴのシステムに対しても、異なるタイマー値を提供するという柔軟性を提供する。
【００５７】
そのようなシステムに対して、一部の実施形態において、タイマーが満了するときには、より高い優先度のシステムの全ては、例えば最も高い優先度のシステムで開始するために探索される。他の実施形態において、最も高い優先度システムのみが探索される。
【００５８】
さらなる別のインプリメンテーションにおいて、列挙された各システムに対して、複数のタイマーが特定され、各タイマーは、列挙されたシステムよりもより高い優先度のシステムのそれぞれに対する探索の期間を特定する。
【００５９】
一部の実施形態において、タイマー情報は、探索されるべき表の各エントリに関連する。一部の実施形態において、タイマーは、オーバレイ情報に含まれるシステムの所定のタイプに対して、現在のシステムよりもより高い優先度のシステムとしてこのタイプのシステムを探索するときに、モバイルステーションが用いるべきこのタイプのシステムの探索の間の時間を特定する。この実施例は、図３の「より高い優先度のネットワークの探索時間（実施例２）」と題したコラム４７に示される。
【００６０】
コラム４７は、表中に列挙された各システムに対して、どの程度の頻度で、より高い優先度のシステムとしてそのシステムを探すかということを示すパラメータを含む。例えば、表中の特定のパラメータ値は、所定のモバイルステーションがＳＩＤ／ＮＩＤ＝６／１を有するＣＤＭＡシステムを獲得しない限りは、該モバイルステーションは、ＳＩＤ／ＮＩＤ＝６／１を有するＣＤＭＡシステムを５分ごとに探索するべきであるということを規定する。同様に、所定のモバイルステーションがＳＩＤ／ＮＩＤ＝６／１を有するＣＤＭＡシステムを獲得せず、かつＭＣＣ／ＭＮＣ／ＬＡＣ＝３５０／２２／２を有するＧＳＭシステムを獲得しない限り、該モバイルステーションは、ＭＣＣ／ＭＮＣ／ＬＡＣ＝３５０／２２／２を有するＧＳＭシステムを１０分ごとに探索するべきである。ＵＴＭＳシステムが最も低い優先度を有するので、どの程度の頻度で探索が実行されるかを示した時間は存在しない。
【００６１】
一部の実施形態において、それぞれのタイミング情報は、あらゆる全てのネットワークに対して提供されるのではなく、むしろ、タイミング情報は一部のネットワークに対して提供され、１つ以上のビットが用いられて、そのような情報の存在または不在を信号で送る。この特定の実施例は、図６Ｂの表１３に与えられる。そのようなアプローチを用いると、タイミング情報は、各グループの特定のエントリ、例えば最も高い優先度のエントリに対しては含まれていない。一部の実施形態において、デフォルト値（例えば、各ＲＡＴタイプに対して定義され得る）は、タイミング情報が含まれていなかった場合には、二次的なエントリとして用いられ得る。
【００６２】
一部の実施形態において、マルチモードステーションがターンオンされるパワーアップがされると、マルチモードモバイルステーションは、例えばモバイルステーションが最近に用いられたＲＡＴを含む有効な獲得履歴を有する場合には、ごく最近に用いられたＲＡＴに符合するＲＡＴを探すことによって適切なシステムを探索する。そうでなければ、モバイルステーションは、デフォルトＲＡＴ探索セッティングを用いて適切なシステムを探す。無線アクセス技術に特有のネットワーク選択アルゴリズムは、この時点で用いられる。
【００６３】
特定の使用のシナリオが、ここで図３の表における値を参照して記述され、具体的には、「より高い優先度のネットワークの探索時間（実施例１）」４６に関連し、モバイルステーションは、ＣＤＭＡのデフォルトＲＡＴセッティングを有すると仮定される。モバイルステーションは、ＣＤＭＡ  ＰＲＬに第１に基づいてＣＤＭＡシステムを探索する。モバイルステーションが、「オーバレイグループナンバー」４５において定義されるように、オーバレイグループ「０」にある場合には、モバイルステーションは、ＣＤＭＡシステムを獲得し、「システム情報」、特に「特定情報」４９を読み取り、ＳＩＤ／ＮＩＤ情報を検索する。この実施例において、モバイルステーションは、ＳＩＤ／ＮＩＤ＝６／１を有するＣＤＭＡシステムを獲得すると仮定される。ＳＩＤ／ＮＩＤ情報がこのようにして獲得されたと仮定すると、モバイルステーションは、次いでマルチモードオーバレイ情報を確認して、より高い優先度のシステムがあるかどうかを判断する。この場合において、ＣＤＭＡが最も好ましいシステムであるので、モバイルステーションは、他のシステムを探す必要なくしてＣＤＭＡシステムにとどまることが見受けられ得る。
【００６４】
その一方で、モバイルステーションのデフォルトＲＡＴセッティングがＧＳＭ／ＧＰＲＳ／ＵＭＴＳである場合には、モバイルステーションは、ＧＳＭ／ＧＰＲＳ／ＵＭＴＳ  ＰＬＭＮリストに第１に基づいて、ＧＳＭ／ＧＰＲＳ／ＵＭＴＳシステムを探索する。モバイルステーションが「オーバレイグループナンバー」４５において定義されるように、オーバレイグループ「０」にある場合には、モバイルステーションは、ＧＳＭ／ＧＰＲＳ／ＵＭＴＳシステムを獲得し、「システム情報」、特に「特定情報」４９を読み取り、ＭＣＣ／ＭＮＣ／ＬＡＣ情報を検索する。入手が可能なＭＣＣ／ＭＮＣ／ＬＡＣ情報で、モバイルステーションは、マルチモードオーバレイ情報を確認することによって、領域において入手が可能なＲＡＴを知る。具体的には、モバイルステーションが、ＭＣＣ／ＭＮＣ／ＬＡＣ＝３５０／２２／２を有するＧＳＭ／ＧＰＲＳ／ＵＭＴＳシステムを獲得したと仮定すると、ＲＡＴタイプ情報は、オーバレイグループ「０」と関連するマルチモードオーバレイ情報の中に見受けられ得る。最も好ましいシステムとして示されたＣＤＭＡシステム（すなわち、ＳＩＤ／ＮＩＤ＝６／１）が存在するので、モバイルステーションは、定期的なシステム選択を実行して、ＣＤＭＡシステムを獲得しようと努める。
【００６５】
図７は、マルチモードモバイルステーションパワーアップシステムの選択動作に対する詳細な実施例を与える。図７の実施例に対する仮定は、モバイルステーションが、ＣＤＭＡおよびＧＳＭ／ＧＰＲＳ／ＵＭＴＳ無線アクセス技術をサポートするデュアルモードのモバイルステーションであるということである。
【００６６】
マルチモードモバイルステーションがパワーアップされた後に、第１のステップ７０５は、デフォルトモードセッティングはＣＤＭＡであるかを決定するための決定ステップである。デフォルトモードセッティングがＣＤＭＡである場合（イエスパス）には、マルチモードモバイルステーションは、ステップ７１０において、ＰＲＬを用いてＣＤＭＡシステムを獲得するように試みる。ステップ７１５は、別の決定ステップであり、ＣＤＭＡシステムが獲得されたかどうかを決定する。ＣＤＭＡシステムが獲得された場合（イエスパス）には、マルチモードモバイルステーションは、オーバレイパラメータ表からのシステム情報、例えばＳＩＤ／ＮＩＤ情報を、ステップ７２０において決定する。ステップ７２５は、ステップ７２０に続く決定ステップであり、共通の地理的領域に対するオーバレイパラメータに基づいて、他のＲＡＴシステムが入手可能であるかどうかを決定する。他のＲＡＴシステムが入手可能である場合（イエスパス）には、ステップ７３０は、ＣＤＭＡが、それらの入手可能なシステムの中で最も好ましいＲＡＴかどうかを決定する決定ステップである。ＣＤＭＡが最も好ましいＲＡＴである場合（イエスパス）には、次いでマルチモードモバイルステーションは、ステップ７３５においてＣＤＭＡシステムをアイドルモードで監視する。ＣＤＭＡが最も好ましいＲＡＴではない場合（ステップ７３０のノーパス）には、次いでマルチモードモバイルステーションは、定期的な探索を実行して、ステップ７４０において最も好ましいＲＡＴシステムを見つける。他のＲＡＴが入手可能ではない場合（ステップ７２５のノーパス）には、マルチモードモバイルステーションは、ステップ７３５においてアイドルモードでＣＤＭＡシステムを監視する。
【００６７】
デフォルトモードセッティングがＣＤＭＡではない場合（ステップ７０５のノーパス）には、ステップ７４５は、デフォルトモードセッティングがＧＳＭ／ＧＰＲＳ／ＵＭＴＳかどうかを決定するための決定ステップである。デフォルトモードが、ステップ７４５においてＧＳＭ／ＧＰＲＳ／ＵＭＴＳである場合（イエスパス）には、ステップ７５０において、マルチモードモバイルステーションは、ＰＬＭＮリストを用いてＧＳＭ／ＧＰＲＳ／ＵＭＴＳシステムを獲得するように試みる。ＣＤＭＡシステムがステップ７１５において獲得されなかった場合（ステップ７１５のノーパス）には、マルチモードモバイルステーションは、ステップ７５０において、ＰＬＭＮリストを用いてＧＳＭ／ＧＰＲＳ／ＵＭＴＳシステムを獲得するように試みる。ステップ７５５は、ステップ７５０に続く決定ステップであり、ＧＳＭ／ＧＰＲＳ／ＵＭＴＳシステムが獲得されたかどうかを決定することを含む。ＧＳＭ／ＧＰＲＳ／ＵＭＴＳシステムが獲得された場合（イエスパス）には、マルチモードモバイルステーションは、ステップ７６０において、オーバレイパラメータの表、例えばＭＣＣ／ＭＮＣ／ＬＡＣ情報を用いてシステム情報を決定する。ＧＳＭ／ＧＰＲＳ／ＵＭＴＳシステムが獲得されていない場合（ステップ７５５のノーパス）には、マルチモードモバイルステーションは、ステップ７８０においてＧＳＭ／ＧＰＲＳ／ＵＭＴＳリミテッドサービスモードに入る。リミテッドサービスモードは、時にはＳＯＳモードと呼ばれ、モバイルステーションが緊急サービスを呼び出すことのみを許可される緊急モードである。ステップ７６５は、ステップ７６０に続く決定ステップであり、共通の地理的領域に対するオーバレイパラメータに基づいて、他のＲＡＴシステムが入手可能かどうかを決定する。他のＲＡＴシステムが入手可能である場合（イエスパス）には、ステップ７７０は、ＧＳＭ／ＧＰＲＳ／ＵＭＴＳのうちのいずれか１つが、それらの入手可能なシステムの中で最も好ましいＲＡＴかどうかを決定するための決定ステップである。ＧＳＭ／ＧＰＲＳ／ＵＭＴＳのいずれか１つが、最も好ましいＲＡＴである場合（イエスパス）には、マルチモードモバイルステーションは、ステップ７７５においてアイドルモードでＧＳＭ／ＧＰＲＳ／ＵＭＴＳシステムのうちの所定の１つを監視する。ＧＳＭ／ＧＰＲＳ／ＵＭＴＳのうちのいずれの１つも、最も好ましいＲＡＴタイプではない場合（ステップ７７０のノーパス）には、マルチモードモバイルステーションは、定期的な探索を実行して、ステップ７４０において最も好ましいシステムを見つける。他のＲＡＴが入手可能ではない場合（ステップ７６５のノーパス）には、マルチモードモバイルステーションは、ステップ７７５においてアイドルモードでＧＳＭ／ＧＰＲＳ／ＵＭＴＳシステムのうちの所定の１つを監視する。
【００６８】
一部の実施形態において、１つ以上のＲＡＴタイプが、特定の地理的領域で利用可能な場合には、オーバレイ情報は、システム構成情報のみを含む。例えば、ＣＤＭＡシステムのみが、またはＧＳＭ／ＧＰＲＳ／ＵＭＴＳシステムのみが１つの領域で利用可能な場合には、システムに対するオーバレイ情報は、オーバレイ情報に含まれない。これは、維持されるオーバレイ情報の大きさを減少させる。
【００６９】
一部の実施形態において、オーバレイ情報は、ＯＴＡＳＰ／ＯＴＡＰＡ（無線サービスプロビジョニング／無線パラメータ管理）メッセージを用いてモバイルステーションにダウンロードされる。一部の実施形態において、新たなＯＴＡＳＰ／ＯＴＡＰＡメッセージは、オーバレイ情報ダウンロード要求メッセージおよびオーバレイ情報ダウンロード応答メッセージを含む。一部の実施形態において、無線プロビジョニングサーバ（ＯＴＡサーバ）は、他の無線プロビジョニングパラメータ（例えばＰＲＬの表）とともにオーバレイパラメータの表のダウンローディングに責任を有し得る。例えば、ユーザが、＊２２８とモバイルステーションでダイアルして、モバイルステーションが、無線プロビジョニングパラメータダウンローディングを要求するということを示す場合には、ＯＴＡサーバは、デバイスへの他の無線メッセージとともにオーバレイパラメータの表をダウンロードする。オーバレイパラメータは、一度に、表としてダウンロードされる。
【００７０】
図４は、そのようなメッセージのために用いられ得るフォーマットの非常に特定された実施例を示す。
【００７１】
表１は、ネットワークによって送信されたダウンロード要求メッセージフォーマットに対するデータ構造の実施例である。表１は、単一のフィールドである、「ｎｕｍ＿ｏｖｅｒｌａｙ＿ｇｒｏｕｐ」の識別を含み、「ｎｕｍ＿ｏｖｅｒｌａｙ＿ｇｒｏｕｐ」は、オーバレイグループの数である。表１はまた、フィールドの特定の長さを４ビットと定義するが、より一般的には、フィールドの長さは、インプリメンテーション特有のものである。
【００７２】
表２〜表４は、ネットワークによって送信されたダウンロード要求メッセージに含まれる、データ構造の実施例である。
【００７３】
表２は、オーバレイグループのそれぞれに対して、様々なパラメータを示し、該様々なパラメータは、それぞれのオーバレイグループを定義し、かつ様々なそれぞれのパラメータに関するそれぞれのフィールドの長さを定義する。様々なパラメータは、４ビットの長さを有するグループ識別の「Ｇｒｏｕｐ＿ｉｄ」および２ビットの長さを有するシステムタイプの「Ｓｙｓｔｅｍ＿ｔｙｐｅ」を含む。「Ｓｙｓｔｅｍ＿ｔｙｐｅ」のフォーマットの特定の実施例は、図４の表３にさらに定義される。「Ｓｐｅｃｉｆｉｃ＿ｉｎｆｏ」の特定の実施例は、図４の表４にさらに定義される。表２におけるさらなるパラメータは、１ビットの長さを有するイントラグループ優先度の「優先順位」および７ビットの長さを有するより高い優先度のネットワークの探索時間の「Ｓｅａｒｃｈ＿ｔｉｍｅ」を含む。
【００７４】
「優先順位」フィールドは、優先度を定義する際に、表１に関して上述されるように、例えば「モア」に対して「１」を、「同一」に対して「０」を含み得る。一部の実施形態において、「Ｓｅａｒｃｈ＿ｔｉｍｅ」フィールドは、表１に関して上述されるように、分単位の時間を含む。
【００７５】
一部のインプリメンテーションにおいて、「Ｓｅａｒｃｈ＿ｔｉｍｅ」フィールドは、より少ないビットを用いて表される。例えば、３ビットの値が、１分から６４分の間に、「Ｓｅａｒｃｈ＿ｔｉｍｅ」を表すために以下に定義される。
【００７６】
【数５】
2011199881.tif 000007
表３は、「Ｓｙｓｔｅｍ＿ｔｙｐｅ」情報の実施例を含み、該情報において、ＧＳＭシステムは、「０」の値を有し、ＣＤＭＡシステムは、「１」の値を有し、ＷＬＡＮシステムは、「２」の値を有し、ＵＭＴＳシステムは、「３」の値を有する。これらの値は、２ビットのシーケンスである「００」、「０１」、「１０」および「１１」によってそれぞれ表され得る。システムのタイプは、表１２の中に含まれる３つのタイプに限定されるようには意図されない。他のシステムのタイプは、例えばＧＰＲＳおよびＵＭＴＳを含み得る。システムのタイプに関連付けられたビット値は、インプリメンテーション特有のものである。
【００７７】
表４は、上述された「Ｓｙｓｔｅｍ＿ｔｙｐｅ」によって識別されたタイプを有するネットワークに関連する、「Ｓｐｅｃｉｆｉｃ＿ｉｎｆｏ」情報の実施例を含む。ＧＳＭに対して叙述された実施例において、特定の情報は、「ＰＬＭＮ＿ＬＡＣタイプ」フィールドにおけるＰＬＭＮおよびＬＡＣであり、ＰＬＭＮに対して、該フィールドは、２４ビットであり、ＬＡＣに対して、該フィールドは、１６ビットである。ＣＤＭＡに対して、「Ｓｐｅｃｉｆｉｃ＿ｉｎｆｏ」情報は、ＳＩＤタイプおよびＮＩＤタイプの情報である「ｓｉｄ＿ｎｉｄ＿ｔｙｐｅ」を含み、ＳＩＤに対して、該フィールドは、１５ビットであり、ＮＩＤに対して、該フィールドは、１６ビットである。ＷＬＡＮに対して、表４における特定の情報は、ＳＳＩＤタイプ情報である「ｓｓｉｄ＿ｔｙｐｅ」であり、８ビットの長さである。
【００７８】
表２、３および４における様々なフィールドのビットの名前および数は、インプリメンテーション特有であり、例示された実施例における名前および数に制限されることは意図されないことを理解されたい。さらに、一部の実施形態において、上述のフィールドに追加のフィールドは、無線アクセスシステム選択において有用な追加の情報を含むものに含まれ得る。
【００７９】
図３の表１におけるオーバレイグループナンバーは、共通の地理的領域で機能する一連のシステムの間での関連性を定義する、非常に特定されたメカニズムである。より一般的には、マルチモードオーバレイ情報は、複数の関連性を含み得、各関連性は、少なくとも共通の地理的領域で機能するそれぞれの一連のシステムの間にあり得、これらの関連性は、任意の適切なメカニズムを用いて定義され得る。
【００８０】
上述されるように、一部の実施形態において、マルチモードシステム選択が実行される間においても、システム選択は、無線アクセス技術に特有のシステム選択アルゴリズム（ｒａｄｉｏ  ａｃｃｅｓｓ  ｔｅｃｈｎｏｌｏｇｙ−ｓｐｅｃｉｆｉｃ  ｓｙｓｔｅｍ  ｓｅｌｅｃｔｉｏｎ  ａｌｇｏｒｉｔｈｍ）を用いて平行して実行される。従って、モバイルステーションが、ＣＤＭＡシステムを容易に獲得すると、マルチモードシステム選択が実行され、入手可能なＧＳＭ／ＧＰＲＳ／ＵＭＴＳシステムを識別し得、かつ、無線アクセス技術に特有のシステム選択が実行され、別のＣＤＭＡシステムを、例えばＰＲＬベースのアルゴリズムを用いて選択し得る。同様に、ＧＳＭ／ＧＰＲＳ／ＵＭＴＳシステムを獲得したモバイルステーションに対して、マルチモードシステム選択は、ＣＤＭＡシステムを探すために利用され、同時に、ＧＳＭ／ＧＰＲＳ／ＵＭＴＳのＰＬＭＮリストが、別のＧＳＭ／ＧＰＲＳ／ＵＭＴＳシステムを探すために用いられ得る。
【００８１】
従って、マルチモードモバイルステーションは、２つのタイプのシステム選択を行う。システム選択の１つのタイプは、定期的なシステムを実行して最も好ましい同一のＲＡＴシステムを見つけることである。システム選択の別のタイプは、オーバレイの地理的領域においてインターＲＡＴシステム選択を実行することである。一部の実施形態において、最も好ましい同一のＲＡＴシステムを見つけることは、ＣＤＭＡおよびＧＳＭ／ＧＰＲＳ／ＵＭＴＳに対する現在の基準に従って実行される。
【００８２】
一部の実施形態において、タイマー値が、マルチモードオーバレイ情報に基づいた探索が、無線アクセス技術特有の探索アルゴリズムに基づいた探索として同時に実行されることとなっている場合には、無線アクセス技術に特有の探索アルゴリズムに基づいた探索に優先順位が付与される。例えば、ＣＤＭＡシステムを獲得して、ＰＲＬは、特定の時間に別のＣＤＭＡシステムを探索することを特定し得、マルチモードオーバレイ情報は、ＰＲＬベースの探索と同時の特定の時間において、ＵＭＴＳシステムの探索を特定し得る。この場合において、ＰＲＬベースの探索に優先順位が与えられる。
【００８３】
一部の実施形態において、それぞれのＰＬＭＮリストは、ＧＳＭ、ＧＰＲＳ、ＵＭＴＳのそれぞれと関連付けられる。これは、例えばマルチモードモバイルステーションにおいて用いられるサブスクライバ識別モジュール（ＳＩＭ）カードに格納され得る。他の実施形態において、同一のＰＬＭＮリストは、システム選択のために、ＧＳＭ、ＰＧＲＳおよびＵＭＴＳの１つ以上に対して用いられ得る。
【００８４】
一部の実施形態において、モバイルステーションのマルチモードまたはマルチＲＡＴ性能情報は、マルチモードシステム選択をサポートするために用いられる。該情報は、例えば新たなＣＤＭＡのＯＴＡＳＰ／ＯＴＡＰＡメッセージを加えることによってインプリメントされ得る。
【００８５】
モバイルステーションのマルチＲＡＴ性能情報の特定の実施例は、図５Ａに定義される。
【００８６】
一部の実施形態において、ネットワークは、モバイルステーションのマルチＲＡＴ性能をＯＴＡＳＰ／ＯＴＡＰＡメッセージを送信することによってクエリする。一部の実施形態において、新たなＯＴＡＳＰ／ＯＴＡＰＡメッセージは、マルチモードシステム選択（ＭＭＳＳ）性能要求メッセージおよびマルチモードシステム選択（ＭＭＳＳ）性能応答メッセージを含む。
【００８７】
図５Ａは、表５〜７を含み、表５は、ＧＳＭ／ＧＰＲＳ／ＵＭＴＳとＣＤＭＡとＷＬＡＮとの各々をそれぞれサポートすることを示すそれぞれの行を含み、表６は、どのタイプのＣＤＭＡ  ＲＡＴがサポートされるかということのさらなる詳細を含み、表７は、どのタイプのＧＳＭ／ＧＰＲＳ／ＵＭＴＳ  ＲＡＴがサポートされるかということのさらなる詳細を含む。
【００８８】
ここで表５を具体的に参照すると、ＧＳＭ／ＧＰＲＳ／ＵＭＴＳとＣＤＭＡとＷＬＡＮとのそれぞれに対するタイプ特定の記録が存在する。各記録は、そのタイプがサポートされているかどうかを示す「値（ｖａｌｕｅ）」フィールドを有する。例示される特定の実施例において、ＧＳＭ／ＧＰＲＳ／ＵＭＴＳに対して、「０」の値は、ＧＳＭ／ＧＰＲＳ／ＵＭＴＳがサポートされていないことを示し、「１」は、ＧＳＭ／ＧＰＲＳ／ＵＭＴＳがサポートされていることを示す。「１」の値に対して、表７は、どの特定のＧＳＭ／ＧＰＲＳ／ＵＭＴＳのＲＡＴタイプがサポートされているかという、さらなる詳細を含む。ＣＤＭＡに対して、「０」の値は、１ｘまたは１ｘＥＶＤＯ  ＣＤＭＡのいずれにもサポートがないことを示し、「１」の値は、１ｘまたは１ｘＥＶＤＯのＣＤＭＡの１つに、またはその両方に対するサポートがあることを示す。「１」の値に対して、表６は、どの特定のＣＤＭＡ  ＲＡＴタイプがサポートされているかというさらなる詳細を含む。
【００８９】
ＷＬＡＮに対して、「０」の値は、ＷＬＡＮがサポートされていないことを示し、「１」の値は、ＷＬＡＮがサポートされていることを示す。
【００９０】
表５の特定の実施例に対して、マルチＲＡＴ性能のサポートは、合計で３ビットによって表され得、ＧＳＭ／ＧＰＲＳ／ＵＭＴＳとＣＤＭＡとＷＬＡＮとのそれぞれがサポートされているかどうかを示すために１ビットが用いられる。
【００９１】
ここで表６を参照すると、これは、マルチＲＡＴ性能のサポートが、ＣＤＭＡがサポートされていることを示すさらなる情報を含む。例示される特定の実施例において、８ビットのフィールドが用いられ、１ビットは、１ｘＣＤＭＡがサポートされているかどうかを示し、１ビットは、１ｘ  ＥＶＤＯ  ＣＤＭＡがサポートされているかどうかを示す。これは、識別されるべきＣＤＭＡ技術のさらなるタイプに対して利用可能な６ビットを残す。
【００９２】
ここで表７を参照すると、これは、ＧＳＭ／ＧＰＲＳ／ＵＭＴＳがサポートされていることをマルチＲＡＴ性能のサポートが示すさらなる情報を含む。例示される特定の実施例において、８ビットのフィールドが用いられ、１ビットは、ＧＳＭ／ＧＰＲＳがサポートされているかどうかを示し、１ビットは、ＵＭＴＳがサポートされているかどうかを示す。これは、識別されるべきＧＳＭ／ＧＰＲＳ／ＵＭＴＳ技術のさらなるタイプに対して利用可能な６ビットを残す。
【００９３】
ＭＭＳＳ性能要求メッセージは、ネットワークによって用いられ、モバイルステーションの構成をクエリする。一部の実施形態において、マルチＲＡＴ性能サポートは、ネットワークのクエリブロックタイプのうちの１つであり、例えば図５Ｂに定義される。ＭＭＳＳ性能要求メッセージを受信すると、モバイルステーションは、ＭＭＳＳ性能要求メッセージに応答し、該メッセージは、サポートされるマルチＲＡＴ性能を示す。
【００９４】
図５Ｂの表９は、マルチＲＡＴ性能サポートがどのように示され得るかという別の詳細な実施例である。表９において、各システムタイプ、すなわちＧＳＭ、ＵＭＴＳおよびＷＬＡＮに対するタイプ特定記録が存在する。例示された実施例において、９ビットのフィールドが用いられ、１ビットは、ＧＳＭがサポートされているかどうかを示し、１ビットは、ＵＴＭＳがサポートされているかどうかを示し、１ビットは、ＷＬＡＮがサポートされているかどうかを示す。これは、識別されるべきＧＳＭ／ＧＰＲＳ／ＵＭＴＳ技術のさらなるタイプのために利用可能な６ビットを残す。
【００９５】
フィールドである「ＧＳＭ＿ＳＵＰＰＯＲＴＥＤ」が「１」に設定されるときには、これは、モバイルステーションがＧＳＭをサポートする能力があるということを示し、そうでなければ、このフィールドは、「０」に設定される。フィールドである「ＵＭＴＳ＿ＳＵＰＰＯＲＴＥＤ」が「１」に設定されるときには、これは、モバイルステーションがＵＭＴＳをサポートする能力があるということを示し、そうでなければ、このフィールドは、「０」に設定される。フィールドである「ＷＬＡＮ＿ＳＵＰＰＯＲＴＥＤ」が「１」に設定されるときには、これは、モバイルステーションがＷＬＡＮをサポートする能力があるということを示し、そうでなければ、このフィールドは、「０」に設定される。
【００９６】
ＣＤＭＡが含まれず、ＧＳＭ／ＧＰＲＳ／ＵＭＴＳのグループからこれらのＲＡＴタイプを示す追加のフィールドを有するのではなく、ＧＳＭおよびＵＭＴＳは別々に示されるという点において、表９は、図５Ｂの表５とは異なる。他のインプリメンテーションにおいて、性能サポートは、表９の特定の組み合わせに同様の方法で示され得るが、ＲＡＴタイプの別の組み合わせを用いる。
【００９７】
一部の実施形態において、モバイルステーションのマルチＲＡＴ性能表示に基づいて、システムの構成のダウンロードは、より柔軟になり得る。例えば、モバイルステーションが、ＣＤＭＡおよびＧＳＭ／ＧＰＲＳ技術のみをサポートすると示す場合には、システムは、他の無線アクセス技術を含む領域に対してさえも、ＣＤＭＡおよびＧＳＭ／ＧＰＲＳ関連のシステムをダウンロードしさえすればよい。例えば、ＵＭＴＳが、さもなければ１つ以上のオーバレイグループに含まれ得る場合であっても、システムは、ＵＭＴＳ情報を除外し得る。図３を参照すると、ＣＤＭＡ、ＧＳＭおよびＷＬＡＮ性能を有し、ＵＭＴＳ性能を有することのないモバイルステーションは、ＣＤＭＡ、ＧＳＭおよびＷＬＡＮのシステムのみを含むマルチモードオーバレイ情報の準備済みのバージョンが送られる。これは、オーバレイグループ「０」からＵＭＴＳシステムを省略することを含む。これは、無線メッセージの長さを減らし、モバイルステーションのメモリの中のパラメータストレージを節約する。
【００９８】
一部の実施形態において、モバイルステーションのマルチＲＡＴ性能の知識を用いて、システムは、異なるシステム構成セットまたは他の情報をダウンロードし、該異なるシステム構成セットまたは該他の情報は、モバイルステーションが、モバイルステーションのシステム選択または他のＲＡＴ関連の機能性を容易にするために必要であり得る。
【００９９】
ワイヤレスシステムの発展とともに、より多くの情報が、ＭＭＳＳオーバレイ情報に加えられ得、モバイルステーションが、システム選択および他のマルチＲＡＴ関連の機能性を実行することを容易にする。
【０１００】
本記述は、異なるタイプの無線アクセス技術システムにアクセスする性能を有するマルチモードモバイルステーションに焦点を合わせた。既存のマルチモードモバイルステーションは、ＧＳＭ、ＧＰＲＳ、ＵＭＴＳ、ＷＬＡＮの１つ以上およびＣＤＭＡの性能の組み合わせを有するモバイルステーションを含む。より一般的には、他の実施形態が、他のＲＡＴタイプおよび上記に列挙されるものを利用するマルチモードモバイルステーションに適用可能である。
【０１０１】
一部のインプリメンテーションにおいて、ＭＳＰＬ（ＭＭＳＳシステム優先順位リスト）は、システムの選択の際にはマルチモードモバイルステーションを助ける。ＭＳＰＬは、セルラーシステムの優先的なリストである。一部の実施形態において、セルラーシステムは、ＣＤＭＡ２０００システムおよびノンＣＤＭＡ２０００システムである。一部の実施形態において、システムが選択されると、マルチモードモバイルステーションは、選択されたシステムがネットワークを獲得するために標準的なネットワーク選択の手順に従う。一部の実施形態において、ＭＳＰＬは、ＯＴＡＳＰを用いるマルチモードモバイルステーションに送信される。一部の実施形態において、マルチモードモバイルステーションがターンオフされているときには、ＭＳＰＬは、マルチモードモバイルステーションによって保持される。一部の実施形態において、図３に関連して上記に紹介されたタイマーは、ＭＳＰＬにタイミング情報を提供する。
【０１０２】
図６Ａおよび図６Ｂは、表１０〜表１３を含み、該表は、ＭＳＰＬをさらに詳細に記述するために使用されるデータ構造の例である。表１０は、サイズと、識別方法と、ＭＳＰＬのコンテンツとに関する情報を含む。表１１と表１３とは、ＭＳＰＬにおけるＭＳＰＬレコードのそれぞれに関する情報を含み、表１２は、表１１と表１３における情報をさらに定義する情報を含む。
【０１０３】
表１０は、ＭＳＰＬにおいて含まれる情報の例である。ＭＳＰＬの例は、複数のフィールドを含み、該フィールドは、サイズと、特定の識別と、ＭＳＰＬにおけるレコードの数とを定義する。表１０はまた、各フィールドに対して、それぞれのサイズをビット単位で表示する。特定のフィールドのサイズは、表１０において識別されるが、その結果、そのフィールドのサイズとＭＳＰＬ全体のサイズとは、実装に特有である。
【０１０４】
表１０における第１のフィールドは、「ＭＳＰＬ＿ＳＩＺＥ」である。「ＭＳＰＬ＿ＳＩＺＥ」フィールドは、ＭＳＰＬのサイズを定義する。一部の実施形態において、このフィールドは、「ＭＳＰＬ＿ＳＩＺＥ」フィールドを含むＭＳＰＬの全体のサイズに対して、オクテットで設定される。図示された例において、このフィールドは、８ビットの長さである。
【０１０５】
第２のフィールドは、「ＭＳＰＬ＿ＩＤ」である。「ＭＳＰＬ＿ＩＤ」フィールドは、ＭＳＰＬの識別を定義する。一部の実施形態において、マルチモードモバイルステーションは、ベースステーションによってＭＳＰＬに対して割り当てられたＭＳＰＬ識別の値に対して、このフィールドを設定する。図示された例において、このフィールドは、４ビットの長さである。
【０１０６】
第３のフィールドは、「ＮＵＭ＿ＭＳＰＬ＿ＲＥＣＳ」である。「ＮＵＭ＿ＭＳＰＬ＿ＲＥＣＳ」フィールドは、ＭＭＳＳシステムの優先度のレコードの数を定義する。このフィールドは、ＭＳＰＬに含まれている、ＭＭＳＳシステムの優先度のレコードの数に対して設定される。図示された例において、このフィールドは、８ビットの長さである。
【０１０７】
ＭＭＳＳ優先度のレコードの特定の例は、表１１において示されている。「ＮＵＭ＿ＭＳＰＬ＿ＲＥＣＳ」フィールドにおいて定義されるＭＭＳＳ優先度のレコードの数のそれぞれに対して、表１１において含まれているフィールドのグループが現れる。
【０１０８】
表１１における第１のフィールドは、「ＳＹＳ＿ＴＹＰＥ」である。「ＳＹＳ＿ＴＹＰＥ」フィールドは、システムタイプの識別を定義する。例えば、システムタイプは、表１２におけるエントリに従って特定され得、該表１２は、以下で記述される。図示された例において、このフィールドは、４ビットの長さである。
【０１０９】
表１１における第２のフィールドは、「ＰＲＩ＿ＣＬＡＳＳ」である。「ＰＲＩ＿ＣＬＡＳＳ」フィールドは、好適なシステムタイプのマルチモードモバイルステーションネットワーク選択処理に対して、ネットワーク獲得の優先度を識別する。一実装例において、「ＰＲＩ＿ＣＬＡＳＳ」フィールドにおいて、４ビットが使用されている。表１４は、「ＰＲＩ＿ＣＬＡＳＳ」フィールドに対するオプションのリストを含む。値「００００」は、モバイルステーションのホームネットワークを選択するためにのみ使用され、「０００１」は、モバイルステーションのホームネットワークと好適なネットワークとのために使用され、「００１０」は、システムにおける任意のネットワークのために使用される。図示された例において、このフィールドは、４ビットの長さである。
【０１１０】
表１１における第３のフィールドは、「ＳＹＳ＿ＰＲＩ」として識別される。「ＳＹＳ＿ＰＲＩ」フィールドは、ＭＳＰＬにおけるシステムの相対的な優先度を表示する。一部の実施形態において、相対的な優先度は、「１」ビットによって「高い」または「０」ビットによって「同じ」として表示されている。例えば、「１」の各エントリに関して、現在のシステムタイプは、表における次のシステムタイプよりも優先度が高く、「０」の各エントリに関して、現在のシステムタイプは、表における次のシステムタイプと同じ優先度である。一部の実施形態において、ＭＳＰＬにおける最後のエントリは、「０」に設定されているシステムの優先度を有する。図示された例において、このフィールドは、１ビットの長さである。
【０１１１】
表１１における第４のフィールドは、「ＨＩＧＨＥＲ＿ＰＲＩ＿ＳＲＣＨ＿ＴＩＭＥ」である。「ＨＩＧＨＥＲ＿ＰＲＩ＿ＳＲＣＨ＿ＴＩＭＥ」フィールドは、優先度の高い探索時間情報含む。一部の実施形態において、「ＨＩＧＨＥＲ＿ＰＲＩ＿ＳＲＣＨ＿ＴＩＭＥ」フィールドは、このタイプのシステムに対する探索の間の時間に対して設定され、現在のシステムよりも優先度の高いシステムとして、このシステムを探索しているときに、モバイルステーションが使用される。図示された例において、このフィールドは、７ビットの長さである。他の実施形態において、「ＨＩＧＨＥＲ＿ＰＲＩ＿ＳＲＣＨ＿ＴＩＭＥ」フィールドは、上記の形態の任意のものを有するタイミング情報を含み得る。例えば、「ＨＩＧＨＥＲ＿ＰＲＩ＿ＳＲＣＨ＿ＴＩＭＥ」フィールドは、わずか３ビットの長さであり得、上記のように１分〜６４分の時間を定義する。一部の実施形態において、前もって導入された探索情報の任意のものが、ここで使用され得る。
【０１１２】
表１２は、異なるタイプのシステムのリストを含み、該リストは、表１１と表１３とにおける「ＳＹＳ＿ＴＹＰＥ」フィールドにおいて使用され得、それぞれ４ビットの値が、異なるタイプのシステムに関連付けられている。図示された例において、ＣＤＭＡ２０００は、関連付けられている値「００００」を有し、ＧＳＭは、関連付けられている値「０００１」を有し、ＵＭＴＳは、関連付けられている値「００１０」を有する。一部の実施形態において、値「０００１」は、ＧＳＭ／ＧＰＲＳと関連付けられている。システムのタイプは、表１２において含まれている３つのタイプに限定されることを意図されていない。他のシステムタイプは、例えば、ＷＬＡＮと、ＧＰＲＳと、ＧＳＭとを含み得る。システムタイプと関連付けられる値は、実装に特定である。
【０１１３】
先に示されたように、一部の実施形態において、それぞれのタイミング情報は、あらゆるネットワークに提供されるのではなく、むしろタイミング情報は、一部のネットワークに提供され、１つ以上のビットが、そのような情報の存在または不在を合図するために使用される。このことに関する特定の例が、表１３に示されている。
【０１１４】
表１３は、表１１と同じフィールドを含み、「ＳＲＣＨ＿ＴＩＭＥ＿ＩＮＣＬ」フィールドもまた含む。「ＳＲＣＨ＿ＴＩＭＥ＿ＩＮＣＬ」フィールドは、優先度の高い探索時間情報が、そのシステムに対して含まれるかどうかを表示する。図示された例において、「ＳＲＣＨ＿ＴＩＭＥ＿ＩＮＣＬ」フィールドは、単一のビットによって表示される。単一のビットが、「１」である場合に、優先度の高い探索時間情報は含まれ、単一のビットが「０」である場合に、優先度の高い探索時間情報は含まれていない。優先度の高い探索時間情報が、そのシステムに対して含まれているかどうかを表示する方法は、実装に特有である。図示された例において、このフィールドは、１ビットの長さである。
【０１１５】
表１０、表１１、表１２、表１３および表１４におけるフィールドの名前とフィールドのビット数とは、実装に特有であり、図示された例における名前とビット数とに限定されることを意図されていない。例えば、表１１と表１３とにおける「ＰＲＩ＿ＣＬＡＳＳ」フィールドは、「ＰＲＩ＿ＮＥＴ」として呼ばれ得る。
【０１１６】
ここで、図１１は、システムが、マルチモードオーバレイ情報をモバイルステーションに提供するための方法を記述するために使用される。
【０１１７】
ステップ１１１０において、システムは、マルチモードオーバレイ情報を作成する。マルチモードオーバレイ情報は、複数の関連性を含み、各関連性は、それぞれのシステムのセットの間の関連性であり、該システムは、少なくとも共通の地理的領域において働き、関連性の少なくとも一部は、異なる無線アクセス技術を使用するシステムの間の関連性である。作成されたマルチモードオーバレイ情報は、例えば、図３において上記された関連性の形態を取り得る。
【０１１８】
ステップ１１２０において、システムは、マルチモードオーバレイ情報をモバイルステーションに送信する。一部の実施形態において、これは、図７におけるステップ７２０とステップ７６０との前に発生し、モバイルは、システムによって作成されたマルチモードオーバレイ情報を利用し得る。
【０１１９】
一部の実施形態において、マルチモードオーバレイ情報は、各モバイルステーションに対するカスタマイズされたマルチモードオーバレイ情報を含み得、該情報は、モバイルステーションからのマルチモード性能情報に基づいて、モバイルステーションによってサポートされた無線アクセス技術に関するシステムのみを含む。
【０１２０】
ここで、図８を参照すると、例示的なマルチモードモバイルデバイス８１０のブロック図が示され、該デバイスは、回路交換通信およびパケット交換通信を、別々に、または同時に使用して通信し、マルチモードオーバレイ情報の機能としてのマルチモードシステム選択アルゴリズムを使用して、マルチモードシステム選択を実行するように適応され、マルチモードオーバレイ情報は、複数の関連性を含み、各関連性は、それぞれのシステムのセットの間の関連性であり、該システムは、少なくとも共通の地理的領域において働き、関連性の少なくとも一部は、異なる無線アクセス技術を使用するシステムの間の関連性である。マルチモードモバイルデバイス８１０は、マルチモード選択機能８１２に結合されるプロセッサ８１１を有する。プロセッサ８１１に結合されるメモリ８１５がまた、マルチモードモバイルデバイス８１０に含まれる。一部の実施形態において、マルチモード選択機能８１２は、図１および図２に関して上記された、ＲＡＴ特定ネットワーク選択アルゴリズムおよび／またはマルチモードネットワーク選択アルゴリズムを含む。一部の実施形態において、メモリ８１５は、図１および図２に関して上記された、ＲＡＴ特定ネットワーク選択情報および／またはマルチモードオーバレイ情報を含む。
【０１２１】
動作において、マルチモードモバイルデバイス８１０は、回路交換通信およびパケット交換通信を、別々に、または同時に使用して通信するように適応されている。回路交換通信は、例えば音声コールを含み得る。パケット交換通信は、任意のデータ、例えばストリーミングビデオデータまたはＶｏＩＰ（Ｖｏｉｃｅ  ｏｖｅｒ  ＩＰ）を含み得る。一局面に従うと、マルチモード選択機能８１２は、マルチモードモバイルデバイス８１０に、メモリ８１５に格納されたマルチモードオーバレイ情報の機能としてのマルチモードシステム選択アルゴリズムを使用して、マルチモードシステム選択を実行する機能性を提供するように動作する。どのようにしてこのことが達成されるかの例が、図７を参照して上記されている。一部の実施形態において、マルチモード選択機能８１２は、実装されているソフトウェアであり、プロセッサ８１１によって実行され得る。しかしながら、さらに一般的には、マルチモード選択機能８１２は、ソフトウェア、ハードウェア、ファームウェア、またはソフトウェアと、ハードウェアと、ファームウェアとの任意の適切な組み合わせとして実装され得る。
【０１２２】
ここで、図９を参照すると、例示的なマルチモードワイヤレスデバイス９２０のブロック図が示され、該デバイスは、回路交換通信およびパケット交換通信を、別々に、または同時に使用して通信し、マルチモードオーバレイ情報の機能としてのマルチモードシステム選択アルゴリズムを使用して、マルチモードシステム選択を実行するように適応され、マルチモードオーバレイ情報は、複数の関連性を含み、各関連性は、それぞれのシステムのセットの間の関連性であり、該システムは、少なくとも共通の地理的領域において働き、関連性の少なくとも一部は、異なる無線アクセス技術を使用するシステムの間の関連性である。マルチモードワイヤレスデバイス９２０は、ワイヤレスアクセス無線９２３とマルチモード選択機能９２２とに結合されたプロセッサ９２１を有する。プロセッサ９２１に結合されたメモリ９２５がまた、マルチモードモバイルデバイス９２０に含まれる。一部の実施形態において、マルチモード選択機能９２２は、図１および図２に関して上記された、ＲＡＴ特定ネットワーク選択アルゴリズムおよび／またはマルチモードネットワーク選択アルゴリズムを含む。一部の実施形態において、メモリ９２５は、図１および図２に関して上記された、ＲＡＴ特定ネットワーク選択情報および／またはマルチモードオーバレイ情報を含む。
【０１２３】
動作において、マルチモードワイヤレスデバイス９２０は、ワイヤレスアクセス無線９２３を使用して、ワイヤレス通信ネットワーク、例えば、セルラネットワークを通じてワイヤレスで通信するように適応されている。マルチモードワイヤレスデバイス９２０は、回路交換通信およびパケット交換通信を、別々に、または同時に使用して、通信するように適応されている。一局面に従うと、マルチモード選択機能９２２は、マルチモードワイヤレスデバイス９２０に、メモリ９２５に格納されたマルチモードオーバレイ情報の機能としてのマルチモードシステム選択アルゴリズムを使用して、マルチモードシステム選択を実行する機能性を提供する。一部の実施形態において、マルチモード選択機能９２２は、実装されたソフトウェアであり、プロセッサ９２１によって実行され得る。しかしながら、さらに一般的には、マルチモード選択機能９２２は、ソフトウェア、ハードウェア、ファームウェア、またはソフトウェアと、ハードウェアと、ファームウェアとの任意の適切な組み合わせとして実装され得る。
【０１２４】
図８および図９のデバイスは、本明細書において記述されている局面に関する機能性を示すのみである。理解されるべきは、実用の実装は、示された実装に対する追加機能性を含むということである。
【０１２５】
ここで、図１０を参照すると、モバイル通信デバイス１０００のブロック図が示され、該デバイスは、本明細書に記述された方法に関するモバイルデバイスを実装し得る。理解されるべきは、モバイルデバイス１０００は、例示目的のみのために、とても明確に詳細を示されているということである。
【０１２６】
処理デバイス（マイクロプロセッサ１０２８）は、キーボード１０１４とディスプレイ１０２６との間に結合されているとして、概略的に示されている。マイクロプロセッサ８２８は、ユーザによる、キーボード１０１４上のキーの作動に応答して、ディスプレイ１０２６の動作だけでなく、モバイルデバイス１０００の全体の動作を制御する。
【０１２７】
モバイルデバイス１０００は、ハウジングを有し、該ハウジングは、垂直方向に細長であり得るか、または他のサイズおよび形状を取り得る（クラムシェル状のハウジング構造を含む）。キーボード１０１４は、モード選択キー、あるいは文章入力と電話入力との間でスイッチするための他のハードウェアまたはソフトウェアを含み得る。
【０１２８】
マイクロプロセッサ１０２８に加えて、モバイルデバイス１０００の他の部分が、概略的に示されている。これらは、通信サブシステム１０７０と、短距離通信サブシステム１００２と、キーボード１０１４と、ディスプレイ１０２６とを、他の入力／出力デバイスであって、１セットのＬＥＤ１００４と、１セットの補助Ｉ／Ｏデバイス１００６と、シリアルポート１００８と、スピーカ１０１１と、マイク１０１２とを含む入力／出力デバイスと共に、メモリデバイスであって、フラッシュメモリ１０１６と、ランダムアクセスメモリ（ＲＡＭ）１０１８とを含むメモリデバイスと共に、様々な他のデバイスサブシステム１０２０とを含む。モバイルデバイス１０００は、モバイルデバイス１０００のアクティブな素子に電力を与えるバッテリ１０２１を有し得る。一部の実施形態において、モバイルデバイス１０００は、双方向の無線周波（ＲＦ）通信デバイスであり、該デバイスは、音声通信性能とデータ通信性能とを有する。さらに、一部の実施形態において、モバイルデバイス１０００は、インターネットを介して他のコンピュータシステムと通信する性能を有する。
【０１２９】
一部の実施形態において、マイクロプロセッサ１０２８によって実行されるオペレーティングシステムソフトウェアは、持続性の格納装置、例えば、フラッシュメモリ１０１６に格納されるが、他のタイプのメモリデバイス、例えば、読み取り専用メモリ（ＲＯＭ）または同様の格納要素に格納され得る。さらに、システムソフトウェア、特定のデバイスのアプリケーション、またはそれらの一部分は、一時的に揮発性の格納装置、例えばＲＡＭ１０１８にロードされ得る。モバイルデバイス１０００によって受信された通信信号はまた、ＲＡＭ１０１８に格納され得る。
【０１３０】
オペレーティングシステムの機能に加え、マイクロプロセッサ１０２８は、モバイルデバイス１０００上で、ソフトウェアのアプリケーションを実行することを可能にする。所定のセットのソフトウェアプリケーションであって、基本デバイス動作、例えば、音声通信モジュール１０３０Ａおよびデータ通信モジュール１０３０Ｂを制御するソフトウェアプリケーションは、製造の間に、モバイルデバイス１０００にインストールされ得る。さらに、個人情報マネジャ（ＰＩＭ）アプリケーションモジュール１０３０Ｃはまた、製造の間に、モバイルデバイス１０００にインストールされ得る。一部の実施形態において、ＰＩＭアプリケーションは、データアイテム、例えば、電子メール、カレンダーイベント、音声メール、アポイントメント、およびタスクアイテムを整理および管理することが可能である。一部の実施形態において、ＰＩＭアプリケーションはまた、ワイヤレスネットワーク１０１０を介して、データアイテムを送信および受信することが可能である。一部の実施形態において、ＰＩＭアプリケーションによって管理されているデータアイテムは、ユーザの対応するデータアイテムが、ホストコンピュータシステムに格納されているか、または関連付けられているデバイスを使用して、ワイヤレスネットワーク１０１０を介して、一体となって、統合、同期化および更新される。さらに、他のソフトウェアモジュール１０３０Ｎとして図示されている追加のソフトウェアモジュールが、製造の間にインストールされ得る。
【０１３１】
データ通信と音声通信とを含む通信機能は、通信サブシステム１０７０、場合により短距離通信サブシステム１００２を通じて実行され得る。通信サブシステム１０７０は、レシーバ１０５０と、トランスミッタ１０５２と、受信アンテナ１０５４および転送アンテナ１０５６として図示されているような一つ以上のアンテナとを含む。さらに、通信サブシステム１０７０はまた、処理モジュール、例えば、デジタル信号プロセッサ（ＤＳＰ）１０５８および局所発振器（ＬＯ）１０６０を含む。通信サブシステム１０７０の特定の設計および実装は、通信ネットワークに依存し、該ネットワークにおいて、モバイルデバイス７００は、動作することが意図されている。例えば、モバイルデバイス１０００の通信サブシステム１０７０は、ＭｏｂｉｔｅｘＴＭ、ＤａｔａＴＡＣＴＭまたは汎用バケット無線サービス（ＧＰＲＳ）モバイルデータ通信ネットワークと共に動作するように設計され、かつ、多様な音声通信ネットワークの任意のもの、例えば、Ａｄｖａｎｃｅｄ  Ｍｏｂｉｌｅ  Ｐｈｏｎｅ  Ｓｅｒｖｉｃｅ（ＡＭＰＳ）、Ｔｉｍｅ  Ｄｉｖｉｓｉｏｎ  Ｍｕｌｔｉｐｌｅ  Ａｃｃｅｓｓ（ＴＤＭＡ）、Ｃｏｄｅ  Ｄｉｖｉｓｉｏｎ  Ｍｕｌｔｉｐｌｅ  Ａｃｃｅｓｓ（ＣＤＭＡ）、Ｐｅｒｓｏｎａｌ  Ｃｏｍｍｕｎｉｃａｔｉｏｎｓ  Ｓｅｒｖｉｃｅ（ＰＣＳ）、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）、などと共に動作するようにもまた設計され得る。他のタイプのデータネットワークおよび音声ネットワークは、分離された状態でも、かつ、統合された状態でもモバイルデバイス１０００と共にもまた使用され得る。
【０１３２】
ネットワークアクセスは、通信システムのタイプに依存して変化し得る。例えば、ＭｏｂｉｔｅｘＴＭおよびＤａｔａＴＡＣＴＭネットワークにおいて、モバイルデバイスは、各デバイスと関連付けられる固有の個人識別番号（ＰＩＮ）を使用して、ネットワーク上に登録される。しかしながら、ＧＰＲＳネットワークにおいて、ネットワークアクセスは、一般的には、加入者またはデバイスのユーザと関連付けられる。従って、ＧＰＲＳデバイスは、一般的には、Ｓｕｂｓｃｒｉｂｅｒ  Ｉｄｅｎｔｉｔｙ  Ｍｏｄｕｌｅ（ＳＩＭ）カードとして、通常、呼ばれている加入者識別モジュールを有し、ＧＰＲＳネットワーク上において動作する。
【０１３３】
ネットワーク登録処置または作動処置が完了したときに、モバイルデバイス１０００は、通信ネットワーク１０１０を通じて、通信信号を送信し得、かつ、受信し得る。受信アンテナ１０５４によって通信ネットワーク１０１０から受信された信号は、レシーバ１０５０に伝送され、該レシーバは、信号増幅、周波数のダウンコンバージョン、フィルタリング、チャンネル選択などを提供し、アナログからデジタルへの変換もまた提供し得る。受信された信号をアナログからデジタルに変換することは、ＤＳＰ１０５８が、さらに複雑な通信機能、例えば、復調および復号化を実行することを可能にする。同様の方法において、ネットワーク１０１０に転送される信号は、ＤＰＳ１０５８によって処理（例えば、変調および符号化）され、その結果、トランスミッタ１０５２に、デジタルからアナログへの変換と、周波数のアップコンバージョンと、フィルタリングと、増幅と、転送アンテナ１０５６を介した通信ネットワーク（または複数のネットワーク）１０１０に対する転送とを提供する。
【０１３４】
通信信号を処理することに加え、ＤＳＰ１０５８は、レシーバ１０５０とトランスミッタ１０５２との制御を提供する。例えば、レシーバ１０５０とトランスミッタ１０５２とにおいて、通信信号に適用されるゲインは、ＤＳＰ１０５８において実装されている自動ゲイン制御アリゴリズムを通じて、適応可能に制御され得る。
【０１３５】
データ通信モードにおいて、受信された信号、例えば、テキストメッセージまたはウェブページのダウンロードは、通信サブシステム１０７０によって処理され、マイクロプロセッサ１０２８に入力される。次に、受信された信号は、ディスプレイ１０２６、または代替的に、他の補助Ｉ／Ｏデバイス１００６に出力するために、マイクロプロセッサ１０２８によって、さらに処理される。デバイスのユーザはまた、キーボード１０１４および／または他の補助Ｉ／Ｏデバイス１００６、例えば、タッチパッド、ロッカースイッチ、親指コントローラ、または他のタイプの入力デバイスを使用して、データアイテム、例えば、電子メールメッセージを作成し得る。それから、作成されたデータアイテムは、通信サブシステム１０７０を介して、通信ネットワーク１０１０を通じて転送され得る。
【０１３６】
音声通信モードにおいて、デバイスの全動作は、データ通信モードと実質的に同様であるが、受信された信号は、スピーカ１０１１に出力され、転送される信号は、マイク１０１２によって生成される点で異なる。代替的な音声またはオーディオＩ／Ｏサブシステム、例えば、音声メッセージ記録サブシステムはまた、モバイルデバイス１０００上に実装され得る。さらに、ディスプレイ１０１６はまた、音声通信モードにおいて利用され得、例えば、呼出者のアイデンティティ、音声コールの持続期間、または音声コール関連の情報を表示する。
【０１３７】
短距離通信サブシステム１００２は、モバイルデバイス１０００と、付近の他のシステムまたはデバイスとの間の通信を可能にし、該デバイスは、必ずしも同様のデバイスである必要はない。例えば、短距離通信サブシステムは、赤外線デバイス、ならびに関連の回路およびコンポーネント、またはＢｌｕｅｔｏｏｔｈＴＭ通信モジュールを含み得、通信のために、同様に使用可能なシステムおよびデバイスを提供する。
【０１３８】
本出願に対する様々な改変およびバリエーションが、上記の教示を鑑みて考えられる。従って、理解されるべきは、本明細書において特段の断りがない限り、特許請求の範囲の範囲内において、主題は実行され得るということである。
【図１】
2011199881.tif 000008
【図２】
2011199881.tif 000009
【図３】
2011199881.tif 000010
【図４】
2011199881.tif 000011
【図５Ａ】
2011199881.tif 000012
【図５Ｂ】
2011199881.tif 000013
【図６Ａ】
2011199881.tif 000014
【図６Ｂ】
2011199881.tif 000015
【図７】
2011199881.tif 000016
【図８】
2011199881.tif 000017
【図９】
2011199881.tif 000018
【図１０】
2011199881.tif 000019
【図１１】
2011199881.tif 000020